(57)【要約】      （修正有）【課題】多種多様な変化と多効能を有する水入りランプ容器構造を提供する。【解決手段】水入りランプ容器構造は、主に、容室部１内に、中空チャンバ、及び、蓋体１２を有し、透光の立体造型の水入りランプ部２を配置する。水入りランプは透光材質からなる。底座３は、内側に窪んだ内凹空間状の開口設計で、開口は水入りランプの一端に固接される。内凹空間に回路構造４を有する。回路構造は、スイッチにより発光素子４４を制御する。これにより、水入りランプ容器を使用する時、回路構造を起動して、発光素子を作動させ、水入りランプは、流動、発光の効果を有し、水入りランプ容器が美しい視覚効果を発揮することができる。【選択図】図１
0003149022.tif 000002
【実用新案登録請求の範囲】
【請求項１】
水入りランプ容器構造であって、主に、発光効果を生成する底座、水入りランプ部、及び、容室からなり、
前記容室部は、開口端を有する中空チャンバの容器で、
前記水入りランプ部は、透光の立体造型で、流体を中に装入し、前記容室部と結合し、
前記底座は、内側に窪んだ内凹空間状の開口設計で、前記開口は水入りランプの一端に固接され、前記内凹空間に回路構造を有し、前記回路構造は、電源を導通するスイッチにより制御し、
これにより、前記水入りランプ容器を使用する時、前記回路構造を起動して、前記発光素子を作動させ、前記水入りランプは、流動、発光の効果を有し、前記水入りランプ容器が美しい視覚効果を発揮することができることを特徴とする水入りランプ容器構造。
【請求項２】
前記水入りランプの流動液体はラメ片を添加してもよいことを特徴とする請求項１に記載の水入りランプ容器構造。
【請求項３】
前記水入りランプの流動液体はラメ粉を添加してもよいことを特徴とする請求項１に記載の水入りランプ容器構造。
【請求項４】
前記回路構造は、更に、電力を供給する電源部、及び、集積回路を有することを特徴とする請求項１に記載の水入りランプ容器構造。
【請求項５】
前記底座の回路構造中の発光素子は発光ダイオードであることを特徴とする請求項１に記載の水入りランプ容器構造。
【請求項６】
前記容室部は前記水入りランプ部上方に結合されることを特徴とする請求項１に記載の水入りランプ容器構造。
【請求項７】
前記容室部は前記水入りランプ部内に貫設され、前記水入りランプの被覆を受け、且つ、前記中空チャンバの開口端は前記水入りランプを露出することを特徴とする請求項１に記載の水入りランプ容器構造。
【請求項８】
前記容室部の中空チャンバの開口端は蓋体を設置することを特徴とする請求項１に記載の水入りランプ容器構造。
【請求項９】
前記蓋体は孔を有することを特徴とする請求項７に記載の水入りランプ容器構造。
【請求項１０】
前記容室部の中空チャンバ開口端は塞体を設置することを特徴とする請求項１に記載の水入りランプ容器構造。
【考案の詳細な説明】
【技術分野】
【０００１】
本考案は、水入りランプ容器構造に関するものであって、特に、飾りやアロマオイルを装入した容器構造であって、制御回路構造により、通電発光する底座が水入りランプに対応し、発光、及び、液体の流動効果がある装飾容器に関するものである。
【背景技術】
【０００２】
日常生活で、テーブル上に、写真フレームや玩具などの装飾品を飾ることがあり、これらは単に鑑賞するものであるので、一定期間並べると飽きてしまって交換したくなる。また、調味料容器や女性がよく使用するアロマポットなどは、粉末、液体を装入、装飾する功能があるが、容器が装入する物品には限りがあり、且つ、形式、及び、尺寸もある特定の形式、及び、尺寸に制限されるので、市販の容器の造型上、大きい変化がない。香水の瓶は美しい形状が多いが、物品を装入する単一功能しかない。よって、容器設計上、多種多様な変化と多功能性を有することができないか模索される。
【考案の開示】
【考案が解決しようとする課題】
【０００３】
本考案の目的は、多種多様な変化と多功能性を有する水入りランプ容器構造を提供することにある。
【課題を解決するための手段】
【０００４】
本考案の水入りランプ容器構造は、主に、容室部内に、中空チャンバ、及び、蓋体を有し、透光の立体造型の水入りランプ部を配置する。水入りランプは透光材質からなる。底座は、内側に窪んだ内凹空間状の開口設計で、開口は水入りランプの一端に固接される。内凹空間に回路構造を有する。回路構造は、スイッチにより発光素子を制御する。これにより、水入りランプ容器を使用する時、回路構造を起動して、発光素子を作動させ、水入りランプは、流動、発光の効果を有し、水入りランプ容器が美しい視覚効果を発揮することができる。
【考案の効果】
【０００５】
本考案の水入りランプ容器構造は、容器構造全体に多種の変化が生まれ、実用的で、装飾効果も兼備する。
【考案を実施するための最良の形態】
【０００６】
図１、及び、図２は、本考案の水入りランプ容器構造の立体外観図、及び、断面図である。主に、容室部１、水入りランプ部２、底座３、及び、回路構造４からなる。
【０００７】
容室部１は、開口端１１を有する中空チャンバの容室で、球状立体造型、或いは、桶状造型で、中空チャンバ開口端は、蓋体１２、或いは、塞体１３を嵌設する。
【０００８】
水入りランプ部２は、透光の立体造型で、流動する液体を装入することができ、容室部１一端、或いは、容室部１外部に固設される。
【０００９】
底座３は、内側に窪んだ内凹空間状の開口設計で、開口は水入りランプ２の一端に固接される。
【００１０】
回路構造４は、底座３の内凹空間内に嵌設され、且つ、電源を導通させるスイッチ４１、電力を供給する電源部４２、集積回路４３、及び、発光素子４４を有する。回路構造は、多くの変化が可能であるが、本考案の重点ではないので詳述しない。
【００１１】
図３は、本考案の好ましい実施例１を示す図で、底座３の内凹空間内に回路構造４を嵌設し、集積回路４３上に発光素子４４、電源部４２、及び、スイッチ４１を設置し、且つ、発光素子４４は底座３開口に対応し、水入りランプ部２も、底座３の開口に対応して、発光素子４４が水入りランプ部２を照射し、水入りランプ部２上方は容室部１を組設する。容室部１は、立体造型の容器で、且つ、容室部１の中空チャンバ内に、粉末の装飾品を装入し、これにより、容室部１開口端１１が、孔１２１を有する蓋体１２を嵌合する。回路構造４を触動させ、発光素子４４が作動し、水入りランプ部２が流動、発光する効果を達成する。
【００１２】
図４は、本考案の好ましい実施例２を示す図で、底座３の内凹空間内に回路構造４を嵌設し、集積回路４３上に発光素子４４、電源部４２、及び、スイッチ４１を設置し、且つ、発光素子４４は底座３開口に対応し、水入りランプ部２も、底座３の開口に対応して、発光素子４４が水入りランプ部２を照射し、容室部１は水入りランプ部２に貫設され、水入りランプ部２は容室部１の中空チャンバを被覆し、中空チャンバ内に、粉末の装飾品を装入し、これにより、容室部１開口端１１が、孔１２１を有する蓋体１２を嵌合する。回路構造４を触動させ、発光素子４４が作動し、水入りランプ部２が流動、発光する効果を達成する。
【００１３】
図５は、本考案の好ましい実施例３を示す図で、組み立て状態は、図１と同様で（図３で示される）、容室部１の中空チャンバ内に香水を装入し、これにより、容室部１開口端１１が、塞体１３を嵌合する。回路構造４を触動させ、発光素子４４が作動し、水入りランプ部２が流動、発光する効果を達成する。
【００１４】
これにより、水入りランプ容器の使用は、回路構造４を触動させ、発光素子が作動し、水入りランプ部２は流動、発光の効果を達成し、水入りランプ容器が、物品を装入し、視覚効果も兼備する。
【００１５】
本考案の効果は、１．本考案の水入りランプ容器構造は、底座の回路構造上に組設されたスイッチと発光素子により、内部の液体が流動し、光源が照射して、きらびやかな装飾効果を達成し、両者の材料の組み合わせにより、変化が多種多様である。２．水入りランプ構造中の容器に中空チャンバを有し、塩コショウ等の粉末、或いは、顆粒物を装入し、厨房用品、及び、装飾用品の二重効果を兼備し、水入りランプを触動使用して、光輝効果を達成し、これにより、水入りランプの設計は単純でなく、容器構造全体に多種の変化が生まれる。３．本考案の水入りランプ容器構造は、粉末（調味料）、及び、液体（香水、香料）等を装入でき、多功能設計を達成する。
【図面の簡単な説明】
【００１６】
【図１】本考案の立体分解図である。
【図２】本考案の立体組み合わせ図である。
【図３】本考案の好ましい実施例１の断面図である。
【図４】本考案の好ましい実施例２の断面図である。
【図５】本考案の好ましい実施例３の断面図である。
【符号の説明】
【００１７】
容室部１
水入りランプ部２
底座３
回路構造４
開口端１１
蓋体１２
塞体１３
スイッチ４１
電源部４２
集積回路４３
発光素子４４
孔１２１
【図１】
0003149022.tif 000003
【図２】
0003149022.tif 000004
【図３】
0003149022.tif 000005
【図４】
0003149022.tif 000006
【図５】
0003149022.tif 000007
【手続補正書】
【提出日】平成21年1月13日(2009.1.13)
【手続補正１】
【補正対象書類名】実用新案登録請求の範囲
【補正対象項目名】請求項９
【補正方法】変更
【補正の内容】
【請求項９】
前記蓋体は孔を有することを特徴とする請求項８に記載の水入りランプ容器構造。